【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
エレクトログラフィックプリンティング又はコピー装置での荷電トナー粒子及び坦体液体を有する現像液を用いて、印刷すべき像の、転写像（中間像）坦体上で形成された潜像(Potentialbild)を現像するための装置において、
供給装置（５１）が設けられており、該供給装置は、機能要素として少なくとも１つのチャンバ型ドクタ(Kammerrakel)（５１１）として、現像液を収容するためのラスタ部材（５１０）と、前記チャンバ型ドクタ（５１１）内に設けられた、少なくとも１つの、第１の流動要素（５１８）が設けられており、該第１の流動要素（５１８）と前記スクリーン部材（５１０）との間に、該ラスタ部材（５１０）の溜部乃至小保持器(Naepfchen)内のトナー粒子濃度が高められるような電圧が印加され、
アプリケータ装置（インキ付け装置）（５２）が設けられており、該アプリケータ装置（５２）は、前記供給装置（５１）から、現像液を受け取り、当該現像液を転写像（中間像）坦体（１）に供給することを特徴とする装置。
【請求項２】
現像液の搬送過程で、転写像（中間像）坦体（１）への経路に関与する機能要素にトナー粒子が不所望に堆積するのを回避するために、前記機能要素は、前記現像液の搬送路に関して、各サイクル内で前記機能要素の一方から前記機能要素の他方への前記現像液の移行のサイクリックな過程で、直ぐ次の機能要素に向かうように前記トナー粒子に力作用が形成され、先行の前記機能要素から離れるように前記トナー粒子に前記力作用が形成され、
各々荷電トナー粒子に作用する電場によって力作用が形成され、
力作用は、通電によって形成される請求項１記載の装置。
【請求項３】
現像液を搬送する機能要素の各電気抵抗は、交互に高オーミック及び低オーミックである請求項１記載の装置。
【請求項４】
クリーニング装置（５３）が設けられており、該クリーニング装置は、潜像をアプリケータ装置（５２）上に現像した後残っている残留像をクリーニングにより取り除き、前記アプリケータ装置（５２）間に電圧が印加され、前記電圧は、前記残留像のトナー粒子の、前記クリーニング装置（５３）への移行を決定する請求項１から３迄の何れか１記載の装置。
【請求項５】
コンディショニング装置（５４）が設けられており、該コンディショニング装置（５４）は、アプリケータ装置（５２）に隣接して、現像液の移動方向で視て転写像（中間像）坦体（１）の前に設けられており、前記転写像（中間像）坦体（１）に供給される現像液は、トナー粒子が現像液内でアプリケータ装置（５２）の表面の方に移動するように制御される請求項１から４迄の何れか１記載の装置。
【請求項６】
供給装置（５１）は、機能要素として少なくとも１つのチャンバ型ドクタ(Kammerrakel)（５１１）とラスタローラ（５１０）を有しており、前記チャンバ型ドクタでは、前記ラスタローラ（５１０）は、前記チャンバ型ドクタ（５１１）から現像液を受け取る請求項１から５迄の何れか１記載の装置。
【請求項７】
チャンバ型ドクタ（５１１）は、ラスタローラ（５１０）に向かって開いたチャンバ（５１２）を有しており、該チャンバは、流入口（５１３）と流出口（５１４）を備えており、該チャンバの前記流入口（５１３）は、現像液の供給量が、ラスタローラ（５１０）に移行する量よりも大きいか又は同じであり、且つ、流出量が前記流出口（５１４）を介して流出するように構成されている請求項６記載の装置。
【請求項８】
現像液の、チャンバ型ドクタ（５１１）内への充分な供給及び分配によって、及び、前記チャンバ型ドクタ（５１１）内部の電場の支援によって、トナー粒子の、ラスタローラ（５１０）の溜部乃至小保持器内への充分な供給が達成可能であり、
チャンバ型ドクタ（５１１）のチャンバ（５１２）内には、少なくとも第１の流動要素（５１８）が設けられており、該第１の流動要素（５１８）とラスタローラとの間に電圧が印加されている請求項７記載の装置。
【請求項９】
付加的な機能要素として、第２の流動要素（５１９）が、第１の流動要素（５１８）に隣接してチャンバ（５１２）内に設けられており、該チャンバ（５１２）には、直流電圧成分及び交流電圧成分からなる電圧が印加されており、該印加の際、各成分は、ゼロにすることができ、前記電圧の極性は、第１の流動要素（５１８）の極性に対して逆であり、その結果、現像液は、ラスタローラ（５１０）の溜部乃至小保持器内にある残留液と混合され、乃至、チャンバ型ドクタ（５１１）内にトナー粒子が堆積するのが阻止される請求項８記載の装置。
【請求項１０】
流動要素（５１８，５１９）は、ラスタローラ（５１０）に対して及びチャンバ（５１２）の内部輪郭に対して、現像液の流れが各流動要素（５１８，５１９）とラスタローラ（５１０）との間の間隙内で形成されるように設けられ、且つ、成形されており、前記流れは、ローラ表面の移動方向に対して同じ方向であり、軸方向にも半径方向にも貫流面の断続的な横断面の変化がなく、流速ゼロのゾーンが生じないように構成されており、
各流動要素（５１８，５１９）は、導電プロフィル要素として構成されており、前記各流動要素（５１８，５１９）は、チャンバ（５１２）内に当該流動要素の開口に隣接してラスタローラ（５１０）に対して平行に設けられており、前記チャンバ（５１２）の幅に亘って延びており、ラスタローラに対して１０〜２０００μｍ、有利には、１００〜１０００μｍの範囲内の間隔を有している請求項９記載の装置。
【請求項１１】
別の機能要素として、クリーニング流動要素（５３５）がハーフチャンバ（５３２）内にクリーニングローラ（５３０）に隣接して設けられ、該クリーニングローラ（５３０）は、前記クリーニング流動要素（５３５）と前記クリーニングローラ（５３０）との間の範囲内に、前記クリーニングローラ（５３０）の表面の移動方向に対して同じ方向に配向された流れが生じるように設けられており、貫流面の断続的な横断面の変化が軸方向にも半径方向にも生じないようにされている請求項１０記載の装置。
【請求項１２】
クリーニング流動要素（５３５）には、直流電圧及び交流電圧成分からなる電位が印加され、該印加の際に、各成分はゼロにすることができ、正のトナー極性の場合、クリーニングローラ（５３０）及びクリーニングドクタ（５３１）の電位よりも負であり、
クリーニングローラ（５３０）とクリーニング流動要素（５３５）との間の電圧は、トナー粒子が前記クリーニングローラ（５３０）の表面から除去されるが、前記トナー粒子が前記クリーニング流動要素（５３５）上に堆積するのは阻止されるように選定されており、
ハーフチャンバ（５３２）は、混合装置（ＭＳ）と接続されている請求項１１記載の装置。
【請求項１３】
コンディショニング装置（５４）が機能要素としてアプリケータローラ（５２０）の表面に隣接して設けられたコロトロン（５４０）であり、該コロトロン（５４０）には、同じ電位のトナー粒子に較べて電荷が前記アプリケータローラ（５２０）上に堆積されるような電位が印加されている請求項５から１２までのいずれか１記載の装置。
【請求項１４】
コンディショニング装置（５４）が機能要素としてコンディショナローラ（５４１）を有しており、該コンディショナローラ（５４１）には、同じ電位のトナー粒子に較べて電荷が前記アプリケータローラ（５２０）上に堆積されるような電位が印加されている請求項５から１３までのいずれか１記載の装置。
【請求項１５】
コンディショナローラ（５４１）は、アプリケータローラ（５２０）上に巻回されており、該巻回の際、前記コンディショナローラ（５４１）と前記アプリケータローラ（５２０）の速度比は、０．８：１〜１：０．８であり、有利には、１：１である請求項１４記載の装置。
【請求項１６】
アプリケータローラ（５２０）、ラスタローラ（５１０）、クリーニングローラ（５３０）及びコンディショナローラ（５４１）を、相互に適合された以下の特定の抵抗ρからシステムが形成されるように選定し、つまり、
−ρ（ラスタローラ）>ρ（アプリケータローラ）
−ρ（クリーニングローラ）>ρ（アプリケータローラ）
−ρ（コンディショナローラ）>ρ（アプリケータローラ）
から前記システムが形成されるように選定する請求項６記載の装置。
【請求項１７】
エレクトログラフィックプリンティング装置の転写像（中間像）坦体（１）上に設けられた潜像の現像方法において、請求項１から１６迄の何れか１記載の装置を用いることを特徴とする現像方法。
【請求項１８】
荷電トナー粒子及び坦体液体を有する現像液を、低トナー粒子濃度で、従って、低粘性で混合装置（ＭＳ）から取り出し、前記現像液が転写像（中間像）坦体（１）に移行する前に、潜像の着色に必要なトナー粒子濃度に高める請求項１７記載の方法。
【請求項１９】
現像液を、チャンバ型ドクタ（５１１）とラスタローラ（５１０）を有する供給装置（５１）によって、低トナー粒子濃度で混合装置（ＭＳ）から取り出し、
前記現像液を前記チャンバ型ドクタ（５１１）から前記ラスタローラ（５１０）の溜部乃至小保持器内に移行する際にトナー粒子に集中し、集中した形式でアプリケータローラ（５２０）に供給し、前記現像液を集中した形式で、転写像（中間像）坦体（１）の傍を案内する請求項１８記載の方法。
【請求項２０】
現像液の集中を、チャンバ型ドクタ（５１１）とラスタローラ（５１０）との間に電圧を印加し、該電圧を、ラスタローラ（５１０）の溜部乃至小保持器内のトナー粒子の数を高める請求項１９記載の方法。
【請求項２１】
現像液を、アプリケータローラ（５２０）上で、該アプリケータローラ上を移動するコンディショナローラ（５４１）によって、坦体液体からトナー粒子に引き受けることによって更に集中し、該集中前に転写像（中間像）坦体（１）に供給する請求項１８から２０迄の何れか１記載の方法。
【手続補正２】
【補正対象書類名】明細書
【補正対象項目名】００１１
【補正方法】変更
【補正の内容】
【００１１】
この問題点は、請求項１及び請求項１７の各要件によって解決される。